(57)【要約】  本発明はシェルを提供し、該シェルは、互いに一定の距離で離れるようにして並進した並進分離状態と、互いに閉鎖した閉鎖状態とに切り換え可能な左側部分および右側部分を備え、前記左側部分および前記右側部分は、前記並進分離状態において互いに回動可能に枢支され、前記シェルは、前記シェルを前記閉鎖状態に保持し、かつ前記シェルを前記並進分離状態に変えさせるようにして解除可能に構成されるロック機構と、前記左側部分および前記右側部分を前記並進分離状態に付勢させるように構成される分離バイアス装置とをさらに備える。【選択図】図１
2019511253.tif 000002
【特許請求の範囲】
【請求項１】
スキーブーツに用いられるシェルであって、
前記シェルは、互いに一定の距離で離れるようにして並進した並進分離状態と、互いに閉鎖した閉鎖状態とに切り換え可能な左側部分および右側部分を備え、
前記左側部分および前記右側部分は、前記並進分離状態において互いに回動可能に枢支され、
前記シェルは、前記シェルを前記閉鎖状態に保持し、かつ前記シェルを前記並進分離状態に変えさせるようにして解除可能に構成されるロック機構と、前記左側部分および前記右側部分を前記並進分離状態に付勢させるように構成される分離バイアス装置とをさらに備える
シェル。
【請求項２】
前記左側部分は、アッパー左側部分とソール左側部分を備え、
前記右側部分は、アッパー右側部分とソール右側部分を備え、
前記閉鎖状態では、前記アッパー左側部分と前記アッパー右側部分とが接合されつつ、前記ソール左側部分と前記ソール右側部分とが接合される
請求項１に記載のシェル。
【請求項３】
前記分離バイアス装置は、前記アッパー左側部分とアッパー右側部分との間に設けられて前記アッパー左側部分と前記アッパー右側部分を互いに離れる方向に付勢させるアッパーバネ、および／または前記ソール左側部分と前記ソール右側部分との間に設けられて前記ソール左側部分と前記ソール右側部分を互いに離れる方向に付勢させるソールバネを備える
請求項２に記載のシェル。
【請求項４】
前記アッパーバネは、２つの端部がそれぞれ前記アッパー左側部分および前記アッパー右側部分に固定されたねじりバネ、および／または
前記ソールバネは、コイルバネであって、前記閉鎖位置で前記ソール左側部分と前記ソール右側部分との間に圧縮される
請求項３に記載のシェル。
【請求項５】
前記アッパー左側部分と前記アッパー右側部分との間の境界には、前記アッパー左側部分と前記アッパー右側部分との正確なアライメントを確保し、かつ閉鎖したアッパー左側部分およびアッパー右側部分全体での剛性を提供するように、複数の位置決め部材が設けられる
請求項４に記載のシェル。
【請求項６】
前記位置決め部材は、前記アッパー左側部分と前記アッパー右側部分とのうちの一方に形成された円状の突起、および前記アッパー左側部分と前記アッパー右側部分とのうちの他方に形成された半円状の凹溝を備える
請求項５に記載のシェル。
【請求項７】
前記ソール左側部分と前記ソール右側部分との間には、前記ソール左側部分と前記ソール右側部分との正確なアライメントを確保し、かつ閉鎖したソール左側部分およびソール右側部分全体での剛性を提供するように、位置決め部材が設けられる
請求項４に記載のシェル。
【請求項８】
前記位置決め部材は、前記ソール左側部分と前記ソール右側部分とのうちの一方に設けられた位置決めピン、および前記位置決めピンを受けるようにして前記ソール左側部分と
前記ソール右側部分のうちの他方に設けられたスリーブを備える
請求項７に記載のシェル。
【請求項９】
前記ソールバネは、前記位置決めピンおよび前記スリーブの周囲に外嵌される
請求項８に記載のシェル。
【請求項１０】
前記ソール左側部分と前記ソール右側部分とのうちの一方の外側には、前記シェルが並進分離状態になると、前記ソール左側部分と前記ソール右側部分との間の隙間を遮蔽するストッパ片がさらに設けられ
請求項２に記載のシェル。
【請求項１１】
前記ロック機構は、ロック部材と引きワイヤを備える
請求項１〜１０のいずれか一項に記載のシェル。
【請求項１２】
前記引きワイヤは、アッパー用引きワイヤとソール用引きワイヤを備え、
前記ロック部材は、前記アッパー左側部分またはアッパー右側部分の略中央位置に設けられる
請求項１１に記載のシェル。
【請求項１３】
前記ソール用引きワイヤの一端は固定され、
前記ソール用引きワイヤは、前記ソール左側部分と前記ソール右側部分を平行に引張り可能とするように、該固定端から前記ロック部材まで、前記ソール左側部分とソール右側部分における複数の位置で前記ソール左側部分と前記ソール右側部分との間の境界エッジを跨いで複数回延びる
請求項１２に記載のシェル。
【請求項１４】
前記アッパー用引きワイヤの一端は固定され、
該アッパー用引きワイヤは、該固定端から、前記アッパー左側部分と前記アッパー右側部分における複数の位置であって前記アッパー左側部分および前記アッパー右側部分の前側と右側で、前記アッパー左側部分と前記アッパー右側部分との間の境界エッジを跨いで複数回延びるとともに、前記ロック部材に巻き付けられる
請求項１３に記載のシェル。
【請求項１５】
前記ロック部材は、直径の異なる、前記ソール用引きワイヤに用いられるロープ溝および前記アッパー用引きワイヤに用いられるロープ溝を備る
請求項１１に記載のシェル。
【請求項１６】
前記ソール用引きワイヤに用いられるロープ溝は２つのロープ溝を含むところで、前記アッパー用引きワイヤに用いられるロープ溝は１つのロープ溝を含み、
前記ソール用引きワイヤの両端はそれぞれソール用引きワイヤに用いられるロープ溝ごとに巻き付けられるところで、前記アッパー用引きワイヤの両端が両側から同時にアッパー用引きワイヤに用いられるロープ溝に巻き付けられる
請求項１５に記載のシェル。
【請求項１７】
前記ロック部材は両面ラチェットを備え、前記ロープ溝が該両面ラチェットに設けられ、かつ前記両面ラチェットが一方向のみに回動するようにロックされることで、引きワイヤが巻き込まれて前記左側部分と前記右側部分が閉鎖され、また前記両面ラチェットへのロックが解除されて両面ラチェットが回転自在になり、前記左側部分と前記右側部分を前記並進分離状態にすることが可能となる
請求項１６に記載のシェル。
【請求項１８】
前記ロック部材は、前記左側アッパー部分と前記右側アッパー部分のいずれか一方に摺動可能に固定されたブラケット、および前記ブラケットに固定された軸を備え、
前記両面ラチェットは、前記軸に摺動可能かつ回動可能に外嵌される
請求項１７に記載のシェル。
【請求項１９】
前記ロック部材は、前記軸に外嵌され前記ブラケットへ固定されたインナーロック片と、前記インナーロック片と前記両面ラチェットとの間に設けられた分離バネとをさらに備え、
前記インナーロック片は、ラチェット爪を有し、該インナーロック片のラチェット爪が前記両面ラチェットの内側ラチェット歯と選択的に噛み合い、
前記分離バネは、前記両面ラチェットの内側ラチェット歯と前記インナーロック片のラチェット爪を互いに分離させる方向に前記両面ラチェットを付勢させる
請求項１８に記載のシェル。
【請求項２０】
前記ロック部材は、前記軸に外嵌され前記両面ラチェットの外側に設けられたクラッチバネと、前記軸に回動可能かつ摺動可能に外嵌され前記クラッチバネの外側に備えられたアウターロック片と、前記軸に外嵌され前記アウターロック片に固定されたインナーストッパ片と、前記軸に摺動可能かつ回動可能に外嵌され前記インナーストッパ片を内側へ選択的に押圧するトリガ片と、をさらに備え、
アウターロック片は、前記両面ラチェットの外側ラチェット歯と選択的に噛み合い可能なラチェット爪を備え、
前記クラッチバネは、前記両面ラチェットの外側ラチェット歯と前記アウターロック片との間に設けられ、前記アウターロック片のラチェット爪と前記両面ラチェットの外側ラチェット歯を分離させる方向に前記アウターロック片を付勢させる
請求項１９に記載のシェル。
【請求項２１】
前記インナーストッパ片は、その外側にカムが設けられるとともに、前記トリガ片のインナーストッパ片に対向する側に、前記カムに当接するカムフォロアが設けられる
請求項２０に記載のシェル。
【請求項２２】
前記インナーストッパ片には駆動凹部が形成され、かつ前記トリガ片にも駆動凹部が設けられる
請求項２１に記載のシェル。
【請求項２３】
前記トリガ片が閉鎖位置に回転されて前記インナーストッパ片を内方へ押動することで、前記アウターロック片のラチェット爪と両面ラチェットの外側ラチェット歯とが噛み合い、かつ前記インナーロック片のラチェット爪と前記両面ラチェットの内側ラチェット歯とが噛み合うと、前記インナーストッパ片の駆動凹部と前記トリガ片の駆動凹部が揃えられた
請求項２２に記載のシェル。
【請求項２４】
前記インナーストッパ片にはストッパが設けられ、
前記トリガ片にはボスが設けられ、
前記トリガ片が前記閉鎖位置にあると、前記ボスは前記ストッパに当接する
請求項２３に記載のシェル。
【請求項２５】
前記インナーストッパ片を駆動してひいては前記両面ラチェットを回転駆動するように、前記駆動凹部と接合する駆動工具をさらに備える
請求項２４に記載のシェル。
【請求項２６】
前記駆動工具は、蓋状の本体と、本体の一方側に設けられた接続ヘッドと、本体の反対側に設けられた駆動ピンと、を備える
請求項２５に記載のシェル。
【請求項２７】
前記接続ヘッドは、空気圧駆動機器、電動駆動機器または手動駆動機器と接合される
請求項２６に記載のシェル。
【請求項２８】
前記ロック部材は、前記トリガ片、インナーストッパ片および両面ラチェットの前記軸との離脱を防止可能な、前記トリガ片の外側に設けられた外側カバーをさらに備える
請求項２１に記載のシェル。
【請求項２９】
前記ロック部材は、引きワイヤが巻き付けられるロープ溝と、前記ロープ溝を回動駆動するモータとを備える
請求項１１に記載のシェル。
【請求項３０】
前記ロック部材は、前記ロープ溝と一体に設けられたウォームホイール、および前記モータの出力端子に取り付けられたウォームをさらに備え、
前記ウォームが前記ウォームホイールと噛み合うことで、前記モータにエネルギーを供給する時に前記ロープ溝は回転駆動される
請求項２９に記載のシェル。
【請求項３１】
前記ロック部材は、前記モータに給電する電池をさらに備え、
前記電池は、二次電池または一次電池である
請求項３０に記載のシェル。
【請求項３２】
前記ロック部材は、解除ボタンをさらに備え、
前記解除ボタンがトリガされると、前記ロック部材による前記引きワイヤへのロックは解除される
請求項３０に記載のシェル。
【請求項３３】
前記解除ボタンは、前記ウォームホイールと前記ウォームの噛み合いを解除する
請求項３２に記載のシェル。
【請求項３４】
前記ロック部材は、前記モータの作動を制御するコントローラを備える
請求項３１に記載のシェル。
【請求項３５】
前記コントローラは、スキーヤーの携帯端末に接続されて、前記スキーヤーの携帯端末から操作命令を受信する
請求項３４に記載のシェル。
【請求項３６】
前記操作命令は、前記シェルへの閉鎖命令を含む
請求項３５に記載のシェル。
【請求項３７】
前記シェルには、アラームがさらに備えられる
請求項３４に記載のシェル。
【請求項３８】
前記アラームは、前記シェルの地理位置を決定するセンサと、前記シェルの姿勢を決定するセンサとを備える
請求項３７に記載のシェル。
【請求項３９】
前記シェルの地理位置を決定する前記センサは、ＧＰＳセンサである
請求項３８に記載のシェル。
【請求項４０】
前記シェルの姿勢を決定する前記センサは、ジャイロスコープである
請求項３８に記載のシェル。
【請求項４１】
前記アラームは、前記シェルの姿勢を決定する前記センサにより前記シェルが転倒状態にありかつその転倒状態が所定時間以上継続したことが示される場合、アラーム情報を出すように構成される
請求項３８に記載のシェル。
【請求項４２】
前記アラーム情報は、指定情報に送信されるメッセージ、メール、電文、ＧＰＳ位置情報などを含む
請求項４１に記載のシェル。
【請求項４３】
前記所定時間は５分間である
請求項４１に記載のシェル。
【請求項４４】
前記転倒状態は、前記シェルが４５度以上倒れることである
請求項４１に記載のシェル。
【請求項４５】
前記アラームは、前記コントローラに接続され、あるいは前記コントローラの一部である
請求項４４に記載のシェル。
【請求項４６】
前記シェルには、アラームがさらに配置される
請求項１〜１０のいずれか一項に記載のシェル。
【請求項４７】
前記アラームは、前記シェルの地理位置を決定するセンサと、前記シェルの姿勢を決定するセンサとを備える
請求項４６に記載のシェル。
【請求項４８】
前記シェルの地理位置を決定する前記センサは、ＧＰＳセンサである
請求項４７に記載のシェル。
【請求項４９】
前記シェルの姿勢を決定する前記センサは、ジャイロスコープである
請求項４８に記載のシェル。
【請求項５０】
前記アラームは、前記シェルの姿勢を決定する前記センサにより前記シェルが転倒状態にありかつその転倒状態が所定時間以上継続したことが示される場合、アラーム情報を出すように構成される
請求項４９に記載のシェル。
【請求項５１】
前記アラーム情報は、指定情報に送信されるメッセージ、メール、電文、ＧＰＳ位置情報などを含む
請求項５０に記載のシェル。
【請求項５２】
前記所定時間は、５分間である
請求項５０に記載のシェル。
【請求項５３】
前記転倒状態は、前記シェルが４５度以上倒れることである
請求項５０に記載のシェル。
【請求項５４】
前記シェルは、その内側に複数の膨張可能なエアバッグがさらに設けられる
請求項１〜１０のいずれか一項に記載のシェル。
【請求項５５】
前記エアバッグを膨張させるためのインフレータをさらに備える
請求項５４に記載のシェル。
【請求項５６】
前記エアバッグは、単独の外部インフレータにより膨張される
請求項５４に記載のシェル。
【請求項５７】
請求項１〜５６のいずれか一項に記載のシェルと、
シェルに着脱可能なインナーブーツと、を備える
スキーブーツ。
【請求項５８】
前記インナーブーツは、該インナーブーツを加熱するためのヒータをさらに備える
請求項５７に記載のスキーブーツ。
【請求項５９】
前記インナーブーツは、スキーヤーの命令に応じて前記ヒータに給電するための電源をさらに備える
請求項５７に記載のスキーブーツ。
【請求項６０】
前記インナーブーツが前記シェルに装着されると、前記ヒータは前記シェルにおける電源からの給電により通電される
請求項５８に記載のスキーブーツ。
【請求項６１】
前記シェルは、前記インナーブーツが前記シェルに装着されることを検知するとともに、前記インナーブーツが前記シェルに装着されるようになされたと検知された場合に、前記インナーブーツのヒータへの給電を前記シェルの電源による給電に切り換えるように構成されるコントローラをさらに備える
請求項６０に記載のスキーブーツ。
【請求項６２】
前記コントローラはさらに、前記シェルの電源による前記インナーブーツのヒータへの給電を制御して、前記インナーブーツを所定の温度に保持するように構成される
請求項６１に記載のスキーブーツ。
【請求項６３】
前記所定の温度は、スキーヤーにより設定される
請求項６２に記載のスキーブーツ。
【請求項６４】
請求項５７〜６３のいずれか一項に記載のスキーブーツと、
スキーブーツに給電するための発電部分が含まれるスキー板と、を備える
スキーギア。
【請求項６５】
前記スキー板は、前記発電部分が取り付けられる板部分をさらに含む
請求項６４に記載のスキーギア。
【請求項６６】
前記発電部分は、前記板部分に形成された開口を貫通して延びることによって板下方の雪面と接触する摩擦車と、摩擦車に接続される発電機と、を備える
請求項６５に記載のスキーギア。
【請求項６７】
前記発電部分は、ソーラーパネルを備える
請求項６４に記載のスキーギア。
【請求項６８】
前記発電部分は、半導体発電機を備える
請求項６４に記載のスキーギア。
【請求項６９】
前記スキー板は、スキーブーツの対応する接触子に接続することで発電部分に生じた電力をスキーブーツに伝送するための接触子をさらに含む
請求項６４に記載のスキーギア。
【請求項７０】
前記スキー板は、前記接触子が形成され、前記スキーブーツと係合する係合部分をさらに含む
請求項６９に記載のスキーギア。
【請求項７１】
シェルが並進分離状態と閉鎖状態との間に切り換え可能であるスキーブーツに用いられるコントローラであって、
スキーヤーの足またはインナーブーツを着用した足が前記シェル内に入ったか否かを判断し、
スキーヤーの足がすでにシェル内に入ったと判断された場合に、シェルの回路をオンにさせ、
スキーヤーからの、前記シェルを閉鎖状態にするように指示する命令を受信し、
前記命令が受信されたと、ロック部材を作動させて前記シェルを閉鎖状態にロックする、ように構成される
コントローラ。
【請求項７２】
前記シェルの姿勢が転倒姿勢でありかつその転倒姿勢が所定時間以上継続するか否かを判断し、ＹＥＳの場合、アラーム情報を出すようにさらに構成される
請求項７１に記載のコントローラ。
【請求項７３】
前記転倒状態は、前記シェルが４５度以上倒れることである
請求項７２に記載のコントローラ。
【請求項７４】
前記所定時間は、５分間である
請求項７２に記載のコントローラ。
【請求項７５】
前記アラーム情報は、前記シェルにある位置の指示情報を含む
請求項７２に記載のコントローラ。
【請求項７６】
前記コントローラは、無線にてスキーヤーの携帯端末と通信して、前記携帯端末を介してスキーヤーから前記命令を受信する
請求項７１に記載のコントローラ。
【請求項７７】
前記コントローラは、前記携帯端末へ無線にて検知されたスキーブーツの状態を送信する
請求項７６に記載のコントローラ。
【発明の詳細な説明】
【技術分野】
【０００１】
本出願は、２０１７年３月１６日に出願された、発明の名称が「スキーブーツ」であるＰＣＴ出願ＰＣＴ／ＣＮ２０１７／０７６９２１に基づく優先権を主張しており、これらの出願の全内容が参照により本明細書に組み込まれる。
本発明はスキーブーツに関し、特にスキーボード用のスキーブーツに関する。
【背景技術】
【０００２】
スキーは人気のウィンタースポーツであり、スキー中に、両足はスキーブーツによってスキー板に強固かつ剛性的に固定される必要があり、足は前後左右に変わる時、スキーブーツによってスキー板に剛性的に接続する必要があり、それにより姿勢、速度や方向を効果的に制御して、雪の上を滑る。スキー板を着用するために、スキーブーツのソールをスキー板の係合部に係合し、さらにスキーブーツをスキー板に強固に係合させるように、スキーブーツによって前後左右の４つの方向にスキーヤーの体重を剛性的に支持する必要があり、スキーブーツのソールとアッパーは一般的に一体化したものでありかつ比較的硬い。しかしながら、このような硬いスキーブーツは、コースまで徒歩で行ったり、途中でトイレへ行ったり、水を飲んだり、食事したりする等の時にスキーヤーの行動が不便になってしまい、特に、スキーヤーはこの不便を我慢してスキーブーツ着用場所からコースの入口へまたはコースから更衣室へふらふら歩かざるを得ない。スキー中、コースを一時離れることは非常に困難である。
【０００３】
この不便を解決するために、ＤＡＨＵ  ＳＰＯＲＴＳ社はスキーブーツを提供しており、該スキーブーツはインナーブーツとシェルを備え、シェルはスキーブーツの外部を構成しかつソールとアッパーを備え、ソールはスキー板に係合され、アッパーは前向き部分と後向き部分の２つの部分により構成され、該前向き部分と後向き部分は回動可能に枢支して接続され、それにより、前後に分離することができ、インナーブーツをシェルから取り出しまたはシェルに装着することができる。そこで、スキーヤーは歩く必要がある時、シェルの前向き部分と後向き部分を開いて、インナーブーツで歩くことができ、それにより上記不便を克服する。スキー時、インナーブーツをシェルに装着して、ロックで前向き部分と後向き部分を一体にロックし、従来スキーブーツのような丈夫なスキーブーツを構成する。
【０００４】
また、米国特許出願ＵＳ２０１６／１９２７２９Ａ１にはスキーブーツが開示されており、該スキーブーツはシェルとインナーブーツを備え、該シェルは２つの部分、即ち左側部分と右側部分に分けられるとともに、この２つの部分がヒンジを介して後側部分またはソール部分に枢着され、それにより該ヒンジを軸として前記シェルはを開くことができ、インナーブーツを取り出される。そして、該シェルには、シェルを閉鎖位置に保持するように、ロックが設けられる。
【０００５】
しかしながら、これらのスキーブーツには以下の問題が存在している。ＤＡＨＵ  ＳＰＯＲＴＳ社のスキーブーツによれば、シェルの前向き部分と後向き部分を手で開きやすいが、インナーブーツをシェルから取り出しにくく、特にスキーヤーがスキーグローブをはめてスキーウェアが重い場合、繰り返して左右にロックすることは操作しにくく、特に、全体の安定性のために、シェルの前部分と後部分にスペースを残してはならず、締り嵌めであるので、インナーブーツの着脱は面倒になる。
【０００６】
米国特許出願ＵＳ２０１６／１９２７２９Ａ１に開示されたスキーブーツでは、ヒンジがシェルの後側に取り付けられた場合、ブーツ全体の強度が低下することで制御性が悪く
なる。一方、ヒンジがソールに取り付けられた場合、実際の使用中、開きにくく、またブーツの前部から開くと、分離するためにヒンジ部分を内方に突出させる必要があるが、スキーブーツ自体の安定性要求のため、その突出許容スペースを残すことが禁止され、したがって、分離しにくく、シェルへのインナーブーツの着脱が困難になり、なお、左側部分と右側部分が閉鎖される時、その間に必ずインナーブーツが挟まれ、閉鎖を実現できない。同様に、ヒンジがソールに取り付けられた場合、上記問題が存在した上に、左側部分と右側部分がヒンジにより支持されるため完璧に一体に閉鎖しにくく、そこで、この解決手段は実用的ではない。該解決手段は、前世紀七十年代に出現して以来、商品化されていない。
【０００７】
また、米国特許ＵＳ４６３３５９９には、後部のアッパーが後方に開放可能なスキーブーツが開示される。該後部アッパーはさらに、弾性ロープを介してスキーヤーの脚に係合される。該弾性ロープは、その一端が該後部アッパーに固定され、他端がロック機構に固定される。該ロック機構はノブ式であり、弾性ロープに印加される張力を調節するように、手動で回動できる。ところが、このロック機構は、弾性ロープに小さい力を印加するしかできず、揺動可能な後部アッパーを適切な位置に強固に保持するという役割を果たすことができない。また、ノブの取付位置や構造のため、ノブの直径増加等の方式でロック機構のロック力を増やすことが困難である。
【０００８】
従来技術では、靴紐を引っ張るための技術案がまたいくつかあり、例えば、中国実用新案ＣＮ２０１０１５４４８Ｙには、リールシート、巻入軸、制限筒および駆動軸からなる靴紐リールが開示されており、該リールは靴紐が該巻入軸に巻き付けられ、かつ駆動軸により駆動され、駆動軸はラチェット歯と噛み合うラチェットを有し、駆動軸はラチェット歯との噛合位置と解除位置とに摺動するように軸方向に引かれ、制御筒によって回転して靴紐を巻入または解放する。しかしながら、上記したように、ノブを用いたこの技術案は普通の靴に適用できるが、靴紐に大きな引張力を印加できないため、大きな引張力を必要とするスキーブーツに適用できず、ひいては普通のスキーブーツと異なり、ブーツに一層のシェルを追加したスキーブーツにも適用はできない。なぜなら、後者に必要なロック力は普通の靴と異る。普通の靴は、靴下、靴における充填物の弾性スペースを克服すればよい。スキーブーツ、特にシェルとブーツが分離したスキーブーツに対して、より重要なのは、ブーツを克服し、特に剛性が強く分離状態にあるシェル、ソールが重なる時の多方向での付勢力を克服するだけでなく、複数の位置決めピン、各作用バネの摩擦力および支持力を克服し、かつスペースをなくしかつ強固にするようにそれをロックする必要がある。
【０００９】
また、スキーは危険なスポーツであり、特に、山地または野外スキースポーツにおいて、スキーヤーは自分のミスまたは外部条件の変化のため危険に直面するようになり、そして極端な状況で、スキーヤーは意識不明になることがある。タイムリーに遭難信号を送信して救助しないと、スキーヤーが大量出血しまたは凍死するおそれがある。しかも、これらのスキー場所の自然条件が悪いため、捜索救助へ大きな困難をもたらす。
【００１０】
したがって、スキーブーツをさらに改良する必要がある。
【発明の概要】
【００１１】
本発明は、従来技術の問題を解決しまたは少なくとも緩和するために、フレキシブルインナーブーツを剛性が高いシェルに装着して構成されスキーボードに適用される、分離可能なスキーブーツを提供することを目的とする。
【００１２】
本発明の一態様は、スキーブーツに用いられるシェルであって、前記シェルは、互いに一定の距離で離れるようにして並進した並進分離状態と、互いに閉鎖した閉鎖状態とに切り換え可能な左側部分および右側部分を備え、前記左側部分および前記右側部分は、前記
並進分離状態において互いに回動可能に枢支され、前記シェルは、前記シェルを前記閉鎖状態に保持し、かつ前記シェルを前記並進分離状態に変えさせるようにして解除可能に構成されるロック機構と、前記左側部分および前記右側部分を前記並進分離状態に付勢させるように構成される分離バイアス装置とをさらに備えるシェルを提供する。
【００１３】
本発明によれば、シェルを容易に開放位置にさせて、非常に容易にインナーブーツをシェルから取り出すことができ、スキーヤーは歩きやすくなる。そして、必要な場合、インナーブーツをシェルに容易に装着してシェルをロックすることで、通常のスキーブーツのように使用される。
【００１４】
本発明のもう１つの様態は、スキーブーツに用いられるシェルであって、前記シェルは、互いに一定の距離で離れるようにして並進した並進分離状態と、互いに閉鎖した閉鎖状態とに切り換え可能な左側部分および右側部分を備え、前記左側部分および前記右側部分は、前記並進分離状態において互いに回動可能に枢支され、前記シェルは、前記シェルを前記閉鎖状態に保持し、かつ前記シェルを前記並進分離状態に変えさせるようにして解除可能に構成されるロック機構と、前記左側部分および前記右側部分を前記並進分離状態に付勢させるように構成される分離バイアス装置とをさらに備え、前記シェルの内側に複数の膨張可能なエアバッグが設けられるシェルを提供する。
【００１５】
シェルの内側にエアバッグを設置することで、スキーヤーの足部寸法に合致させるように該エアバッグを膨張して、スキーブーツのインナーブーツを省くことができる。スキーヤーは、靴を履いていないあるいは普通の靴を履いている状態で該シェルを着用できる。そして、エアバッグを膨張してシェルをスキーヤーの足または靴に密着させ、直ちにスキーを行うことができる。
【図面の簡単な説明】
【００１６】
以下、図面を参照して本発明の好ましい実施形態を詳細に説明することによって、本発明の上記および他の特徴、利点および技術的な優位性を理解できる。
【図１】図１は本発明の実施形態に係るスキーブーツに用いられるシェルを示す透視図である。
【図２】図２は図１に示されたシェルの分離状態での透視図である。
【図３】図３は本発明の実施形態に係る電動ロック部材を利用したスキーブーツに用いられるシェルを示す透視図である。
【図４】図４は視点が図２と異なり、図１に示されたシェルの分離状態での透視図である。
【図５】図５は本発明の実施形態に係るインナーブーツを示す透視図である。
【図６Ａ】図６Ａは本発明の実施形態に係るシェルにおけるレギュレータの前面図である。
【図６Ｂ】図６Ｂは本発明の実施形態に係るシェルにおけるレギュレータの分解図である。
【図７Ａ】図７Ａは本発明に係るロック部材の第一実施形態を示す透視図である。
【図７Ｂ】図７Ｂは図７Ａのロック部材の分解図である。
【図７Ｃ】図７Ｃはロック部材に用いられる駆動工具を示す。
【図８Ａ】図８Ａは本発明に係るロック部材の第二実施形態を示す透視図である。
【図８Ｂ】図８Ｂは本発明に係るロック部材の第二実施形態を示す分解図である。
【図９】図９は本発明に係るコントローラを示すブロック図である。
【図１０】図１０は本発明の別の様態に係る内側にエアバッグが設けられたスキーブーツに用いられるシェルを示す図である。
【図１１】図１１は本発明の実施形態に係るスキーギアの模式図である。
【図１２】図１２は本発明に係るコントローラの制御方法を示すフローチャートである。
【発明を実施するための形態】
【００１７】
以下、図面を参照して本発明に係る好ましい実施形態を詳細に説明する。なお、該説明は例を挙げて説明するためのものに過ぎず、制限するものではなく、当業者であれば、本発明を複数の形態で実施することができ、ここで説明する好ましい実施形態に限定されるべきではないと理解できる。
【００１８】
以下の説明では、「前」、「後」、「左」、「右」等の方向用語は、左足のスキーブーツが図３に示すように置かれる時、即ち、観察者がヒールに対向して観察する左および右であり、前方向はヒールから靴先への方向であり、後方向は前方向とは反対であり、内向きおよび外向き方向はそれぞれ靴内側に向かう方向および靴から靴の外に向かう方向である。勿論、これらの限定は本発明をよく理解するためのものであり、本発明はこれに限定されず、右足のスキーブーツに対して、左右方向は逆である。また、本出願では、左足のスキーブーツを例として説明するが、勿論、同じ説明は同様に右足のスキーブーツに適用できる。
【００１９】
本発明の「一実施形態」または「該実施形態」の使用は、本発明の一実施形態に説明される特徴が該実施形態のみに適用することを意味せず、一実施形態の特徴は他の実施形態に適用でき、または他の実施形態の特徴と組み合わせて別の実施形態を取り得る。
【００２０】
［スキーブーツの全体構造］
以下、図１〜図４を参照して、本発明に係るスキーブーツの全体構造を説明する。図１は本発明の実施形態に係るスキーブーツのシェルの透視図を示す。図１に示すように、シェル１００は、インナーブーツ２００を収容する（図４を参照）ように、剛性のものとして設計される。シェル１００そのものは剛性の合成材料で製造することができ、大きな貫通穴を有してより軽量になり、かつインナーブーツ２００がその中に装着される時に見えられる。なお、これらの貫通穴を形成しなくてもよい。
【００２１】
シェル１００の寸法は、インナーブーツをその中に着脱可能とし、スキーブーツにシェルとインナーブーツを組み合わせ可能とするものである。シェル１００は、図１および図２に示すように、左側部分１１０と右側部分１２０を備え、前記左側部分と前記右側部分は、互いに一定の距離で離れる分離状態、または互いに接合する閉鎖状態に置かれる。
【００２２】
前記左側部分１１０はソール左側部分１１１とアッパー左側部分１１２を備え、前記右側部分１２０はソール右側部分１２１とアッパー右側部分１２２を備え、また、前記シェルはアッパー後側部分１３０とロック機構１４０をさらに備える。
【００２３】
図３および図４に示すように、ソール左側部分１１１とアッパー左側部分１１２は例えば合成材料で一体に形成され、ソール右側部分１２１とアッパー右側部分１２２は例えば合成材料で一体に形成される。
【００２４】
ソール左側部分１１１とソール右側部分１２１との間には、例えばソールバネのような複数の弾性接続部材１５０が設けられる。該バネは複数の機能を有し、例えば、下記のように、ロック機構が解除される時にソール左側部分１１１とソール右側部分１２１を自動的に一定の距離で分離させつつ、ソール左側部分１１１とソール右側部分１２１が完全に離脱することを防止するとともに、ソール左側部分１１１およびその上のアッパー左側部分１１２がソール右側部分１２１およびその上のアッパー右側部分１２２に対して回動することを許可し、シェル１００を大角度で開き、ヒンジのような役割を果たす。また、該弾性接続部材１５０は、ソール左側部分１１１とソール右側部分１２１が互いに閉鎖する
時にガイド位置決めの役割を果たす。図にはコイルバネが示されたが、類似する役割を果たすゴムなどの弾性部材等を用いてもよい。図には４つのソールバネを含むことが示されたが、本発明はソールバネの具体的な数に限定されない。
【００２５】
また、アッパー左側部分１１２とアッパー右側部分１２２との間には、例えばアッパー分離バネのようなアッパー分離部材１６０がさらに設けられる。図示するように、該アッパー分離バネ１６０は、アッパー左側部分１１２とアッパー右側部分１２２の靴先部分の間に設けられ、ねじりバネとして示される。ねじりバネ１６０は、２つの分岐脚部１６１および１６２がそれぞれアッパー左側部分１１２およびアッパー右側部分１２２に固定されて、前記アッパー左側部分１１２とアッパー右側部分１２２を互いに分離する状態に付勢させる。
【００２６】
シェル１００の左側部分１１０と右側部分１２０の正確な嵌合を確保するために、左側部分１１０と右側部分１２０との間に位置決め部材が設けられる。
【００２７】
具体的には、図示するように、ソール左側部分１１１およびソール右側部分１２１の両方内に複数の貫通孔（図示せず）がソールの横方向に形成され、好ましくは、中空のピン１１４がソール左側部分１１１とソール右側部分１２１とのうちの一方内に形成された孔に装着され、ソール左側部分１１１とソール右側部分１２１とのうちの他方内の対応する孔内に中空のスリーブ（図示せず）が設けられて、前記ピン１１４と嵌合する。それにより、ソール左側部分１１１とソール右側部分１２１を嵌合する時、ピン１１４がスリーブ内に挿入されて、ソールの２つの部分の正確な位置合わせを確保する。また、図示するように、ソールバネ１５０は該ピン１１４とスリーブに外嵌される。このようにバネと位置決め部材を設置することで、ソール左側部分１１１とソール右側部分１２１に形成される孔の数を減少させて、ソール強度の低下を防止するとともに加工コストを節約する。
【００２８】
また、アッパー左側部分１１２とアッパー右側部分１２２の嵌合エッジにも複数の位置決め部材が形成される。図示するように、該位置決め部材は、アッパー左側部分１１２のエッジの複数の位置に円形の突起１１５がそれぞれ形成される一方、アッパー右側部分１２２の対応する位置に半円形の凹部１２５が形成される。アッパー左側部分１１２とアッパー右側部分１２２が互いに嵌合する時、該円形突起１１５は凹部１２５に嵌合して、アッパー左側部分１１２とアッパー右側部分１２２の正確な位置決めを確保する。なお、突起と凹部の位置を入れ替えることができる。
【００２９】
前記ソール左側部分１１１またはソール右側部分１２１にはストッパ片１１７または１２７がさらに設けられ、前記ストッパ片１１７または１２７は前記ソール左側部分１１１またはソール右側部分１２１の長手方向に延びソール左側部分１１１とソール右側部分１２１との間の境界に設けられる。そこで、ソール左側部分１１１とソール右側部分１２１との間の隙間が遮蔽される。ストッパ片１１７または１２７を設置することによって、雪や水がソール左側部分１１１とソール右側部分１２１との間の隙間からシェル１００に浸入することを防止できる。
【００３０】
前記シェルにはロック機構１５０がさらに設けられる。該ロック機構１５０はアッパー左側部分１１２のほぼ足首の位置に設けられる。
【００３１】
図２、図４および図７に示すように、ロック機構１５０は引きワイヤ１５１、１５１’と、ロック部材１５２とを備える。
【００３２】
引きワイヤ１５１は、一端がレギュレータ１５３を介してアッパー左側部分の靴先寄りに固定され、該位置から斜め下方へソール右側部分内に形成された案内通路１１３、１２
３まで延び、該案内通路１１３、１２３を通過してソール左側部分とソール右側部分との間の境界エッジを跨いで複数回延び、最終的に斜め上方へロック部材１５２の引きワイヤ１５１に用いられるロープ溝まで延びる。同様に、引きワイヤ１５１’は、レギュレータ１５４から、アッパー左側部分およびアッパー右側部分の前側および右側に巻き付けられた後、ロック部材１５０の引きワイヤ１５１’に用いられるロープ溝に到達する。上記のように、引きワイヤ１５１がソール左側部分１１１とソール右側部分１１２における案内通路１１３、１２３を通過することは、上記の位置決め部材の貫通孔の設置と同じく、引きワイヤ１５１を中空のピン１１４とスリーブ１２４内を貫通させ、このように、ソール左側部分とソール右側部分の孔の数を減少させて加工コストを低減させることができる。勿論、引きワイヤ１５１のために単独の案内通路を設置してもよい。また、引きワイヤ１５１の引き抵抗を低下させるように、各案内通路１１３、１２３の開口および出口に滑車が設けられてもよい。
【００３３】
また、好ましくは、シェル１００を閉鎖する時、巻き入れすべき引きワイヤ１５１と引きワイヤ１５１’の長さが異なる可能性があるので、引きワイヤ１５１に用いられるロープ溝の直径と引きワイヤ１５１’に用いられるロープ溝の直径とが互いに異なるように設計されてもよく、それにより引きワイヤ１５１と１５１’を同時に引っ張る。
【００３４】
また、好ましくは、アッパー用引きワイヤとソール用引きワイヤの巻き付け進度を合わせるために、ロック部材に３つのロープ溝が設けられ、この３つのロープ溝のうち、アッパー用引きワイヤに用いられるロープ溝の直径はソール用引きワイヤに用いられる他の２つのロープ溝の直径より大きく、アッパー用引きワイヤ１５１’を両側からアッパー用引きワイヤに用いられるロープ溝に導入することにより、巻き付ける時、引きワイヤを両側から同時にロープ溝に巻き付けて互いに覆って溝の直径を迅速に大きくし、それで、さらに引きワイヤを速く緊張させる。ソール用引きワイヤは、両端がそれぞれ小径の各溝に互いに覆われずに巻き付けられ、それにより、アッパー用引きワイヤより低い速度で引っ張られて、ソール用引きワイヤとアッパー用引きワイヤ同士をほぼ同時に引っ張り、シェルを閉鎖状態にする。
【００３５】
追加的または代替的に、上記のように、レギュレータ１５３を設置することによって、必要に応じて引きワイヤ１５１または１５１’を巻入または巻出することができる。例えば、足首またはすねが細かいスキーヤーはシェル１００を着ける時、レギュレータ１５３によって余分な引きワイヤ１５１’を巻き入れることができ、それにより引きワイヤ１５１’を短縮させて、ロック機構１５０が作動する時、ソールとアッパーを同時に引っ張ることができる。一方、すねが粗いスキーヤーは使用する時、レギュレータ１５３によって引きワイヤ１５１’を巻き出すことができ、それによりソール用引きワイヤ１５１とアッパー用引きワイヤ１５１’を同時に引っ張るという効果を達成する。
【００３６】
また、アッパー用引きワイヤ１５１’をガイドするために、アッパー左側部分１１２とアッパー右側部分１２２の適切な位置に導管１１６、１２６が設けられて、引きワイヤ１６１の引っ張りと解放の過程での干渉を防止し、引きワイヤ１５１’をスムーズに引くことができる。
【００３７】
前記引きワイヤは、例えば高強度ナイロンまたは炭素繊維で製造される。
【００３８】
図２および４に示すように、アッパー左側部分１１２のソール寄りの位置には、アッパー後側部分１３０がさらに枢着される。アッパー左側部分１１２とアッパー右側部分１２２が互いに閉鎖する時、該アッパー後側部分１３０はアッパー左側部分１１１２とアッパー右側部分１２２からなるアッパーの内側に位置して、インナーブーツの着脱を容易にする。
【００３９】
［レギュレータの構造］
以下、レギュレータ１５３の構造について、図６Ａおよび６Ｂを参照しながら説明する。
【００４０】
レギュレータ１５３は、アッパー左側部分１１２またはアッパー右側部分１２２に固定されるハウジング１５３１と、前記ハウジング１５３１に回転可能に設けられるロープ溝１５３２と、前記ロープ溝１５３２の外周に形成されるラチェット歯１５３３と、前記ラチェット歯１５３３と噛み合うように付勢されるラチェット爪１５３４と、前記ラチェット爪１５３４を前記ラチェット歯１５３３と噛み合う方向に付勢する、例えばバネのような付勢装置１５３５と、を備える。前記ラチェット爪１５３４は、ハウジング１５３１に回動可能に枢支して設けられており、ラチェット歯１５３３と噛み合う先端部分１５３６と、前記先端部分１５３６と対向する解除端１５３７とを備える。前記バネ１５３５は、一端が前記ハウジング１５３１に固定される一方、他端が前記解除端１５３７の付近に固定されて、前記解除端１５３７を引くことによって、前記ラチェット爪１５３４を時計回りに回動させ、前記先端部分１５３６を前記ラチェット歯１５３３と噛み合わせる。前記ロープ溝１５３２のハウジング１５３１から突出する端部には、ツール（図示せず）を挿入して該ロープ溝１５３２を回転させるための挿入口１５３８がさらに設けられる。引きワイヤ１５１または１５１’が長すぎる場合、例えばドライバなどのツールを該挿入口１５３８に挿入して、ロープ溝１５３２を回動させることにより、長すぎる引きワイヤ１５１または１５１’を巻き入れる。ロープ溝は、ラチェット歯とラチェット爪の単方向回転特性のため、引きワイヤの巻入方向のみに回動可能になる。引きワイヤ１５１または１５１’が短すぎて一定の長さの引きワイヤを巻き出す必要がある場合、ツール（図示せず）によって解除端１５３７を動かして、ラチェット爪１５３４を反時計回りに回動させてラチェット爪の先端部分１５３６とラチェット歯１５３３を離脱させ、それによりロープ溝１５３２が回動自在であり、引きワイヤを引いて引きワイヤを巻き出す。
【００４１】
［ロック部材の構造および操作方式］
以下、ロック部材１５２の第一実施例について、図７Ａおよび７Ｂを参照しながら説明する。
【００４２】
ロック部材１５２は具体的な設計に応じて、ブラケット１９を介してアッパー左側部分１１２またはアッパー右側部分１２２に固定される。そして、ロック部材１５２は、ブラケット１９に固定された軸１８と、軸１８にこの順に外嵌されたインナーロック片１７、分離バネ１５、両面ラチェット１６、クラッチバネ２０、アウターロック片１４、異形ワッシャー１３、インナーストッパ片１１、カム１０、カムフォロア９、トリガ片７、緩衝バネ６、ワッシャー５、外側カバー２およびロックねじ１と、を備える。インナーロック片１７は、ブラケット１９に対して固定され、インナーロック片１７には、両面ラチェット１６の内側ラチェット歯１６１と選択的に接合するラチェット爪（図示せず）が設けられる。分離バネ１５は、両面ラチェット１６とインナーロック片１７との間に設けられる。そして、両面ラチェット１６を外向きとさせ、つまり、両面ラチェット１６の内側ラチェット歯１６１とインナーロック片１７のラチェット爪とを離脱させる方向に向かって両面ラチェット１６を付勢する。両面ラチェット１６は反対の両側にラチェット歯、即ち、上記内側ラチェット歯１６１と外側ラチェット歯１６２が備えられ、前記内側ラチェット歯１６１と外側ラチェット歯１６２は同じ傾斜方向を有し、即ち、対応するラチェット爪と噛み合う時、ラチェットは同一の方向のみに回動でき、かつ軸１８に回動可能かつ軸方向に摺動可能に外嵌される。ロープ溝（図示せず）は該両面ラチェット１６と一体に形成され、引きワイヤ１５１または１５１’は該ロープ溝内に巻き付けられる。
【００４３】
軸１８には、クラッチバネ２０、アウターロック片１４、異形ワッシャー１３およびイ
ンナーストッパ片１１がこの順に、両面ラチェット１６から外方へ回動可能かつ軸方向に摺動可能に設けられる。アウターロック片１４、異形ワッシャー１３およびインナーストッパ片１１は例えばリベットまたは溶接によって一体に固定される。アウターロック片１４は、両面ラチェット１６の外側ラチェット歯１６２と選択的に噛み合うラチェット爪を有し、例えば３つのラチェット爪があり、該ラチェット爪がアウターロック片１４から直接プレス加工されてなる。異形ワッシャー１３は円周に３つの切り欠きを有し、該切り欠きがアウターロック片１４の３つのラチェット爪に対応して、ラチェット爪の弾性変形にスペースを提供する。
【００４４】
インナーストッパ片１１は、その外周に対向して設けられたストッパ４、およびその外周に設けられた駆動凹部３を備える。
【００４５】
インナーストッパ片１１の外側には、例えば溶接によってカム１０がさらに固定される。トリガ片７はインナーストッパ片１１に隣接して設けられ、該トリガ片７には例えば溶接によってカム１０のカム面に当接されるカムフォロア９が固定される。
【００４６】
トリガ片７は、外周において直径に沿って対向する位置に、操作者に把持されるボス２が設けられる。トリガ片７の外周には駆動凹部３’がさらに設けられ、該駆動凹部３’の形状がインナーストッパ片１１の駆動凹部３の形状と同じである。トリガ片７の外側には緩衝バネ６および外側カバー５が設けられる。前記外側カバー５は、ロック部材の全ての部材が軸１８から脱落することを防止するように、ねじ（図示せず）を介して軸１８に接続される。
【００４７】
引きワイヤ１５１または１５１’を巻き入れてシェル１００を閉鎖状態にする必要があると、まず、例えば、トリガ片７における２つのボス２を把持して、２つのボス２がそれぞれインナーストッパ片１１における２つのストッパ４に当接するまで、トリガ片７を回動させ、この時、トリガ片７の駆動凹部３’がインナーストッパ片１１の駆動凹部３に位置合わせされる。トリガ片７の回動によってカムフォロア９がカム１０上で摺動することで、カム１０を軸方向に沿って内向きに推進し、該推進によってカム１０およびそれに接続されたインナーストッパ片１１が分離バネ１５とクラッチバネ２０の弾性力に抗して内向きに移動する。そこで、アウターロック片１４のラチェット爪は両面ラチェット１６の外側ラチェット歯１６２と噛み合い、かつインナーロック片１７のラチェット爪は両面ラチェット１６の内側ラチェット１６１と噛み合い、それにより、両面ラチェット１６は一方向、即ち、引きワイヤ１５１または１５１’を巻き入れる方向のみに回動する。この時、駆動工具１は、図７Ｃに示すように、円蓋状の本体１０１と、本体の一側に形成された、例えば六角柱状の接続ヘッド１０２と、本体の他側の円周に形成され寸法が駆動凹部３、３’の寸法に等しくまたはそれよりやや小さい駆動ピン１０３とを備える。駆動工具１の本体１０１をロック部材の外側カバー５に係合させながら駆動ピン１０３を互いに位置合わせした駆動凹部３、３’内に挿入させ、電動、空気圧や手動駆動機器を該駆動工具１の接続ヘッド１０２に接続することにより駆動工具１を回動させ、さらにトリガ片７、インナーストッパ片１１、インナーロック片１４、両面ラチェット１６をともに回転させるように動かし、それにより引きワイヤ１５１または１５１’を巻き入れ、さらに引きワイヤ１５１または１５１’を引っ張り、シェル１００を閉鎖状態にする。シェル１００を分離状態にしてインナーブーツ２００をシェル１００から取り出すべきである場合、逆方向にトリガ片７を回動させ、それにより、カムフォロア９のカム１０での推進作用が解除され、分離バネ１５とクラッチバネ２０によってインナーロック片１７のラチェット爪と両面ラチェット１６の内側ラチェット歯１６１との噛合、およびアウターロック片１４のラチェット爪と両面ラチェット１６の外側ラチェット歯１６１との噛合が解除され、両面ラチェット１６を回転自在状態にさせ、引きワイヤ１５１または１５１’に対する引張力が解除される。ソールバネ１５０とアッパー分離部材１６０によって左側部分１１０と右側
部分１２０を分離させ、シェル１００を分離状態にする。
【００４８】
なお、前記外部駆動機器１８０は手動ツールであってもよく、電動駆動工具や空気圧駆動工具等であってもよく、本発明はそれらに限定されない。また、携帯しやすくするために、該外部駆動機器１８０は、図４に示すように、左側アッパー部分または右側アッパー部分に形成されたバックル、ロープループなどを介して左側または右側アッパー部分に固定されてもよい。
【００４９】
以下、ロック部材１５２の第二実施例について、図８Ａおよび８Ｂを参照しながら説明する。
【００５０】
ロック部材１５２は、図８Ａおよび図８Ｂに示すように、アッパー左側部分１１２またはアッパー右側部分１２２に固定されるケース１５２１と、ケース１５２１に回転可能に設けられるウォームホイール１５２２と、ウォームホイール１５２２と一体に形成され、引きワイヤ１５１または１５１’が巻き付けられるロープ溝１５２３と、前記ウォームホイール１５２２を回動駆動するように前記ウォームホイール１５２２と噛み合うウォーム１５２４と、ウォーム１５２４を回動駆動する駆動機器、例えばモータ１５２５と、駆動機器１５２５によって前記ウォーム１５２４を回動駆動するように前記駆動機器１５２５にエネルギーを供給するスイッチ（図示せず）と、前記ウォーム１５２４と前記ウォームホイール１５２２との噛合を解除する解除機構と、を備える。前記解除機構は、一端部が前記ケース１５２１に揺動可能に接続されかつ他端部に孔が形成される略Ｚ字型のブラケット１５２６を備え、前記ウォーム１５２４のモータ１５２５に接続されていない一端が前記孔内に挿入されて前記孔内に回動できる。前記解除機構は、バネ１５２７をさらに備え、前記バネ１５２７は、前記ウォーム１５２４がウォームホイール１５２２から離れる、即ち前記ウォーム１５２４が前記ウォームホイール１５２２と離脱して移動するように、前記ブラケット１５２６を付勢する。前記解除機構は、前記ブラケット１５２６を前記ウォームホイール１５２２と前記ウォーム１５２４とが噛み合う位置に保持する保持機構をさらに備える。該保持機構は、ピン軸１５２８とトリガーボタン１５２９を備える。前記バネ１５２８は、前記ピン軸１５２８がブラケット１５２１の突出するストッパ片１５２１１に固定され、かつ前記バネ１５２７が前記ピン軸１５２８に巻き付けられることで、前記ストッパ片１５２１１と前記ブラケット１５２６との間に圧縮される。前記ピン軸１５２８はその外円周に凹溝が形成され、前記トリガーボタン１５２９にストッパ片１５２９１が形成され、該ストッパ片１５２９１に孔が形成され、前記ピン軸１５２８が前記孔を貫通する。前記トリガーボタン１５２９は例えばバネ（図示せず）によって付勢して、前記ストッパ片１５２９１を前記ピン軸１５２８の凹溝内に係止させる。前記ストッパ片１５２９１は前記ブラケット１５２６の外側に設けられて、前記ブラケット１５２６がバネ１５２８により推進されることを止める。また、前記ロック部材１５２は電源１５４、例えば電池をさらに備え、該電池は電力がなくなるときに再び充電可能な二次電池であってもよい。代わりに、該電池は電力がなくなるときに交換可能な一次電池であってもよい。
【００５１】
以下では、ロック部材１５２の第二実施形態の操作方法を説明する。
【００５２】
引きワイヤ１５１、１５１’を引っ張ってシェルを閉鎖状態にすべきである場合、ボタンを押してモータ１５２５に給電し、モータ１５２５によってウォーム１５２４が回動駆動され、さらにウォームホイール１５２２が回動駆動され、ウォームホイール１５２２の回動によって、それと一体に形成されたロープ溝が引きワイヤ１５１、１５１’を巻き入れる。シェル１００を分離状態にすべきである場合、トリガーボタン１５２９を押してトリガーボタン１５２９のストッパ片１５２９１をピン軸１５２８の凹溝から離脱させ、それで、ストッパ片１５２９１がピン軸１５２８上で摺動でき、このように、ブラケット１
５２６へのストッパ片１５２９１による止め作用が解除され、ブラケット１５２６がバネ１５２８によって揺動し、ウォーム１５２４とウォームホイール１５２２との噛合を離脱させ、ウォームホイール１５２２を回転自在状態にする。ソールバネ１５０とアッパー分離部材１６０によって、左側部分１１０と右側部分１２０を分離させ、シェル１００を分離状態にする。
【００５３】
また、ロック部材１５２は、モータへのエネルギー供給またはウォームホイール１５２２とウォーム１５２４との離脱を制御可能なコントローラをさらに備える。例えば、該コントローラは、無線または有線にて使用者から命令を受信して、シェル１００を分離状態または閉鎖状態にすることができる。無線にて命令を受信する場合、例えば、該コントローラは無線にてスキーヤーのスマートフォンと接続し、かつスキーヤーは例えばスマートフォンにインストールされたアプリケーションプログラムによってコントローラに命令を送信して、コントローラのロック部材への操作制御を許可し、それにより、シェル１００を閉鎖状態または分離状態にする。体が少し太くて腰をかがめにくいなどのスキーヤーにとって、スキーブーツの使用を大幅に容易にする。また、コントローラはスキーブーツの状態をスキーヤーのスマートフォンにリアルタイムに送信でき、それで、スキーヤーはスマートフォンで監視することができる。
【００５４】
［アラーム］
一実施形態では、シェル１００には、図９に示すように、アラーム１７０がさらに設けられる。該アラーム１７０は、例えばジャイロスコープのような、シェル１００の姿勢を検知するためのセンサ１７１と、例えばＧＰＳセンサのような、シェル１００の位置する地理位置を検知するためのセンサ１７２と、例えば圧力センサまたは温度センサのような、スキーヤーの足（インナーブーツなしの場合）またはインナーブーツ２００を着用した足がシェル１００内に入ったかを検知するためのセンサ１７３と、プロセッサ１７４と、を備え、前記プロセッサ１７４は、センサ１７３からの入力を受信してシェル１００がスキーヤーにより着用されたかを判断し、かつシェル１００がスキーヤーにより着用されたと判断した場合、シェル１００の姿勢を判断し、例えば、シェル１００の地面に対する角度を判断して、該角度が所定の閾値、例えば４５度を超えた状態にありかつ該状態が所定の期間、例えば５分間以上継続した場合、スキーヤーが転びまたは危険状態にいると判定し、アラーム１７０が警報するように指示するように構成される。前記警報は、アンテナで外部に遭難信号を送信して実現される。遭難信号の送信は、指定電話番号にメッセージやウィーチャットメッセージを送信すること、警察署に遭難信号を送信すること、および電文で遭難信号を送信することなどを含む。前記アラームは、シェル１００のＧＰＳ位置情報を送信することや、シェル１００に配置されたアラームランブを点灯させおよび／またはスピーカをオンにさせて、音声および／または光を出して警報することをさらに含んでもよい。
【００５５】
アラーム１７０を設置することで、スキーヤーが危険に遭う場合にアラーム情報を出すことができ、それで救助者はスキーヤーの位置を迅速に特定して救助を行う。
【００５６】
また、アラーム１７０は迅速警報ボタンをさらに備え、それにより、スキーヤーが危険を意識した場合に押して、直ちにアラーム情報を出す。
【００５７】
また、ロック部材１５２の第二実施例を利用した場合、プロセッサ１７４はコントローラに接続されてもよく、コントローラの一部であってもよい。また、コントローラはプロセッサ１７４として機能してもよい。この場合、スキーヤーはスマートフォンとコントローラとの接続によって現在の位置、経過した経路などの情報を調べることができ、かつスキーヤーはスマートフォンによってアラームを設定することができ、例えば、緊急連絡先などを設定し、それにより、危険が発生する場合、アラームは該緊急連絡先にメッセージ
または救助を求める情報を送信する。
【００５８】
［インナーブーツ］
以下、本発明の実施形態に係るインナーブーツ２００について、図５を参照しながら説明する。
【００５９】
インナーブーツ２００は異なる柔らかいクッション材を含み、保温、防水および快適さを確保する。ところで、インナーブーツのソールは、インナーブーツを単独に着用して雪上や道路を歩くことができるように、硬いゴムまたは合成材料で製造される。シェル１００に大きな貫通穴が形成されて重量を軽減したため、インナーブーツ２００が該貫通穴から露出し、それで、インナーブーツは一定の防水性能を有する必要がある。それにより、インナーブーツは防水材料で製造することができる。例えば、インナーブーツは、革、Ｇｏｒｅｔｅｘ、ナイロンなどで製造され、かつ柔らかいクッション材を有する。
【００６０】
インナーブーツ２００はヒータ（図示せず）をさらに備えてもよく、例えば、前記ヒータはインナーブーツ２００の材料内に埋め込まれた電熱線を備える。前記インナーブーツ２００はさらに前記インナーブーツ２００のヒールに設けられた接触子２１０を備え、前記インナーブーツ２００が前記シェル１００に装着される時、前記接触子２１０がシェル１００内の対応する位置に設けられた接触子１８１（図１１に模式的に示される）と接触し、それで、前記シェル１００に設けられた電源と前記インナーブーツ２００のヒータを接続してヒータを作動させ、スキーヤーの足部に熱量を提供する。
【００６１】
前記電池は、シェル１００に設けられる単独の電池であってもよく、または本発明に係るロック部材１５２の第二実施例を利用した場合、ロック部材１５２の電源と同一の電源であってもよい。そして、スキーヤーは例えばスマートフォンによって所望のインナーブーツ温度を入力することができ、コントローラは該所望のインナーブーツ温度に基づいて電池によるヒータへの給電を制御して、インナーブーツの温度をスキーヤーが所望するインナーブーツ温度に保持する。
【００６２】
代替的に、インナーブーツ２００において、例えばインナーブーツ２００のソール部位に、例えば二次電池のような電源２２０が設けられ、該電源はインナーブーツ２００のヒータに給電でき、それにより、該電源がインナーブーツ２００に給電するように、コースに行く前に手動でオンにさせて、スキーヤーがコースに到着する過程で、インナーブーツ２００を快適な温度に保持することを保証する。
【００６３】
コースに到着して、スキーヤーはインナーブーツ２００をシェル１００内に装着すると、インナーブーツ２００の接触子がシェル１００の対応する接触子に接続し、インナーブーツ２００のシェル１００への装着を検知したことに応答して、給電がインナーブーツ２００自体の電源２２０からシェル１００の電源１５４に切り換えられ、該シェル１００の電源はシェル１００のコントローラによる制御によってインナーブーツ２００に給電して、インナーブーツを適切な温度またはスキーヤーにより設定された温度に保持することができる。インナーブーツ２００のシェル１００への装着を検知することは、例えば圧力センサで実現でき、該圧力センサが検知した圧力は所定の範囲内にあると、スキーヤーがすでにインナーブーツ２００を履きかつインナーブーツ２００をシェル１００に装着したことを示す。スキーヤーがインナーブーツ２００をシェル１００から取り出す時、前記圧力センサからの信号に基づいて、シェル１００によるインナーブーツへの給電が遮断され、インナーブーツ２００が使用者のニーズに応じて、自体の電源による給電に切り換えられる。
【００６４】
［スキーブーツの第二実施形態］
以上では、シェル１００とインナーブーツ２００を備えるスキーブーツを説明したが、本発明に係るスキーブーツはインナーブーツ２００を備えなくてもよい。
【００６５】
図１０は本発明の第二実施形態に係るスキーブーツを示す模式図であり、図において第二実施形態に係るスキーブーツの上記スキーブーツとの相違点を描き、したがって、他の細部を示せず、かつ重複の説明を省略する。
【００６６】
例えば、図１０に示すように、シェル１００の内側には、膨張可能なエアバッグ１９０およびエアバッグ１９０を膨張させるインフレータ（図示せず）が設けられる。シェル１００にはさらに膨張ボタン（図示せず）が設けられ、スキーヤーは足をシェル内に入れる時、膨張ボタンを押してエアバッグ１９０を膨張させ、そしてシェル１００のエアバッグ１９０をスキーヤーの足に適応するまで膨張させる。このような膨張シェルそのものはスキーブーツの役割を果たし、使用者の足のサイズ、または普通の靴を履いたかによらず、膨張シェルに安定させることができる。シェル１００にはインフレータを給電するための電源がさらに設けられる。ロック部材１５２の第二実施例を利用した場合、該電源がロック部材の電源と同じであってもよい。そして、インフレータもコントローラにより制御されることで、スキーヤーはスマートフォン等の携帯端末によってインフレータの膨張とエア抜きを制御することができる。
【００６７】
代替的に、上記インフレータは単独の外部インフレータであってもよく、前記シェル１００に膨張口が設けられることにより、膨張する必要がある時、外部インフレータのノズルを膨張口に接続するようにする。
【００６８】
［スキー板］
本発明によれば、スキーブーツと合わせて使用されるスキー板３００をさらに提供する。図１１に示すように、該スキー板３００は、スキーブーツと係合される係合部分３１０と、板部分３２０と、その後端に近接して板部分３２０に設けられた発電部分３３０とを備える。一実施例では、発電部分３３０は摩擦車３３１と発電機３３２を備え、摩擦車３３１の外周が延びて板部分３２０の開口３２１を貫通することにより、スキー板３００が滑走する時に経過する雪面と摩擦し、摩擦車３３１を回動させ、さらに発電機３３２を回動させるように動かして発電させる。追加的または代替的に、板部分３２０には、太陽光の照射で発電するように、ソーラーパネル３３３が設けられてもよい。係合部分３１０内に接触子３１１が備えられ、スキーブーツが該スキー板に係合される時、該接触子３１１はスキーブーツのシェル１００の対応する接触子と接触でき、それにより発電部分３３０が生じた電力をシェル１００に伝送して、シェル１００の電池を充電しまたは電源としてスキーブーツ内の電気部材に給電し、該電気部材は、例えばインナーブーツのヒータを含む。それにより、スキー過程で、ヒータに絶えず給電でき、インナーブーツの温度を保持し、シェルに携帯される電池の容量を配慮する必要がない。
【００６９】
また、発電部分は発電機またはソーラーパネルに限定されず、例えば半導体発電素子を用いてもよく、該半導体発電素子は一側がスキー板の下の雪に接触し、他側がスキー板の上部に設けられ、両側間の温度差を利用して発電する。
【００７０】
［スキーブーツの操作方法］
ロック部材１５２の第二実施例を利用した場合、本発明に係るスキーブーツは以下の方法に応じて使用される。
【００７１】
図１２に示すように、この図はスキーブーツの使用フローチャートである。コントローラは、例えば圧力センサまたは温度センサからの信号に基づいてスキーヤーがインナーブーツ２００をシェル１００内に装着したか否かを判断し（Ｓ１００）、判断結果がＹＥＳ
である場合、コントローラはアラーム回路をトリガし、例えば、アラーム回路に給電する（Ｓ１２０）。コントローラはスキーヤーからの命令を受信し、該命令が例えばスキーヤーのスマートフォンによってコントローラに伝送され、シェル閉鎖の命令を受信すると、コントローラはロック部材１５２のモータにエネルギーを供給して、モータを起動させてさらにシェル１００を閉鎖状態にする（Ｓ１３０）。モータが引きワイヤ１５１と１５１’を持続的に引っ張る場合、コントローラは引きワイヤ１５１と１５１’が緊張したか否かを判断し（Ｓ１４０）、これは引きワイヤ１５１と１５１’が緊張したか否かを判断するセンサからの信号を受信することによって実現され、該センサは、例えばフォースセンサ、圧力センサまたは電流センサであり、フォースセンサにより検知された引きワイヤの張力が所定値より大きく、電流センサにより検知されたモータの電流が所定値を超え、またはシェルの左側部分１１０と右側部分１２０との間の圧力が所定値より大きい場合、コントローラは、引きワイヤ１５１と１５１’がすでに緊張し、かつシェルがすでに閉鎖状態になったと判定し、この時、コントローラはモータの電流を遮断する（Ｓ１５０）。これで、スキーヤーはスキーブーツをスキー板に係合してスキーを開始することができる。そして、コントローラは例えばＧＰＳセンサおよびジャイロスコープからの信号を受信でき、かつ示されるスキーヤーの位置情報とスキーブーツの姿勢情報をスキーヤーのスマートフォンに伝送し、それにより、スキーヤーは自分のスキー状況を把握でき、また該情報がスキーヤーのスマートフォンのスクリーンに表示されまたはスマートフォンに記憶される。
【００７２】
ジャイロスコープの信号によってスキーブーツが所定時間に持続的に倒れることが指示される場合、例えば、スキーブーツが４５度以上で倒れかつ５分間以上継続した場合、コントローラは、スキーヤーが転び危険に遭うと判定し（Ｓ１６０）、コントローラはアラームをトリガして警報信号を出し、指定電話または目的地にアラーム情報を送信し、該アラーム情報は例えばウィーチャットメッセージ、メッセージ、電文等を含んでもよい。警報信号は音声または光を含んでもよい（Ｓ１７０）。
【００７３】
以上、本発明の好ましい実施形態を詳細に説明したが、以上の説明に基づいて、当業者は様々な改良と変更を行うことができる。したがって、本発明は上記の具体的な実施形態に限定されず、本発明の保護範囲は添付特許請求の範囲およびその均等物のみに限定される。
【図１】
2019511253.tif 000003
【図２】
2019511253.tif 000004
【図３】
2019511253.tif 000005
【図４】
2019511253.tif 000006
【図５】
2019511253.tif 000007
【図６Ａ】
2019511253.tif 000008
【図６Ｂ】
2019511253.tif 000009
【図７Ａ】
2019511253.tif 000010
【図７Ｂ】
2019511253.tif 000011
【図７Ｃ】
2019511253.tif 000012
【図８Ａ】
2019511253.tif 000013
【図８Ｂ】
2019511253.tif 000014
【図９】
2019511253.tif 000015
【図１０】
2019511253.tif 000016
【図１１】
2019511253.tif 000017
【図１２】
2019511253.tif 000018
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
スキーブーツに用いられるシェルであって、
前記シェルは、互いに一定の距離で離れるようにして並進した並進分離状態と、互いに閉鎖した閉鎖状態とに切り換え可能な左側部分および右側部分を備え、
前記左側部分および前記右側部分は、前記並進分離状態において互いに回動可能に枢支され、
前記シェルは、前記シェルを前記閉鎖状態に保持し、かつ前記シェルを前記並進分離状態に変えさせるようにして解除可能に構成されるロック機構と、前記左側部分および前記右側部分を前記並進分離状態に付勢させるように構成される分離バイアス装置とをさらに備える
シェル。
【請求項２】
前記左側部分は、アッパー左側部分とソール左側部分を備え、
前記右側部分は、アッパー右側部分とソール右側部分を備え、
前記閉鎖状態では、前記アッパー左側部分と前記アッパー右側部分とが接合されつつ、前記ソール左側部分と前記ソール右側部分とが接合され、
前記分離バイアス装置は、前記アッパー左側部分とアッパー右側部分との間に設けられて前記アッパー左側部分と前記アッパー右側部分を互いに離れる方向に付勢させるアッパーバネ、および／または前記ソール左側部分と前記ソール右側部分との間に設けられて前記ソール左側部分と前記ソール右側部分を互いに離れる方向に付勢させるソールバネを備える
請求項１に記載のシェル。
【請求項３】
前記アッパーバネは、２つの端部がそれぞれ前記アッパー左側部分および前記アッパー右側部分に固定されたねじりバネ、および／または
前記ソールバネは、コイルバネであって、前記閉鎖状態で前記ソール左側部分と前記ソール右側部分との間に圧縮される
請求項２に記載のシェル。
【請求項４】
前記アッパー左側部分と前記アッパー右側部分との間の境界には、前記アッパー左側部分と前記アッパー右側部分との正確なアライメントを確保し、かつ閉鎖したアッパー左側部分およびアッパー右側部分全体での剛性を提供するように、複数の位置決め部材が設けられる
請求項３に記載のシェル。
【請求項５】
前記ソール左側部分と前記ソール右側部分との間には、前記ソール左側部分と前記ソール右側部分との正確なアライメントを確保し、かつ閉鎖したソール左側部分およびソール右側部分全体での剛性を提供するように、位置決め部材が設けられる
請求項３に記載のシェル。
【請求項６】
前記ロック機構は、ロック部材と引きワイヤを備え、
前記ロック部材は前記引きワイヤをロックし、前記引きワイヤは前記シェルにおける複数の位置を巻き取る
請求項１〜５のいずれか一項に記載のシェル。
【請求項７】
前記ロック部材は両面ラチェットを備え、ロープ溝が該両面ラチェットに設けられ、かつ前記両面ラチェットが一方向のみに回動するようにロックされることで、引きワイヤが巻き込まれて前記左側部分と前記右側部分が閉鎖され、また前記両面ラチェットへのロックが解除されて両面ラチェットが回転自在になり、前記左側部分と前記右側部分を前記並進分離状態にすることが可能となる
請求項６に記載のシェル。
【請求項８】
インナーストッパ片を駆動してひいては前記両面ラチェットを回転駆動するように、駆動凹部と接合する駆動工具をさらに備える
請求項７に記載のシェル。
【請求項９】
前記ロック部材は、前記両面ラチェットを回動駆動して引きワイヤを巻き込むモータとを備える
請求項７に記載のシェル。
【請求項１０】
前記ロック部材は、解除ボタンをさらに備え、
前記解除ボタンがトリガされると、前記ロック部材による前記引きワイヤへのロックは解除される
請求項７に記載のシェル。
【請求項１１】
前記ロック部材は、前記モータの作動を制御するコントローラを備える
請求項９に記載のシェル。
【請求項１２】
前記コントローラは、スキーヤーの携帯端末に接続されて、前記スキーヤーの携帯端末から操作命令を受信する
請求項１１に記載のシェル。
【請求項１３】
前記操作命令は、前記シェルへの閉鎖命令を含む
請求項１２に記載のシェル。
【請求項１４】
前記シェルには、アラームがさらに配置される
請求項１に記載のシェル。
【請求項１５】
前記アラームは、前記シェルの地理位置を決定するセンサと、前記シェルの姿勢を決定するセンサとを備える
請求項１４に記載のシェル。
【請求項１６】
前記アラームは、前記シェルの姿勢を決定する前記センサにより前記シェルが転倒状態にありかつその転倒状態が所定時間以上継続したことが示される場合、アラーム情報を出すように構成される
請求項１５に記載のシェル。
【請求項１７】
前記シェルは、その内側に複数の膨張可能なエアバッグがさらに設けられる
請求項１に記載のシェル。
【請求項１８】
請求項１に記載のシェルと、
シェルに着脱可能なインナーブーツと、を備える
スキーブーツ。
【請求項１９】
前記インナーブーツは、該インナーブーツを加熱するためのヒータをさらに備える
請求項１８に記載のスキーブーツ。
【国際調査報告】
2019511253.tif 000019
2019511253.tif 000020
2019511253.tif 000021
2019511253.tif 000022